(57)【要約】  受信特性と、確実に接続（又は再接続）されるアクセスポイントの可能性との双方に基づいて、ネットワークのアクセスポイントへの接続及び／又は再接続を可能にする、方法並びに装置。そのような一実施形態では、例示的なロングタームエボリューション（ＬＴＥ）ユーザ装置（ＵＥ）は、従前にＵＥを予期せずして接続解除したＬＴＥ拡張型ノードＢ（ｅＮＢ）の「ブラックリスト」を記憶する。ＵＥは、そのブラックリスト記載のｅＮＢを回避して、他のｅＮＢに接続することを試みる。従前にＵＥにサービス提供することが不可能であったｅＮＢを回避して、その代わりに、より低い受信品質を有し得るが、ＵＥにサービス提供することには、より適している可能性がある、他のｅＮＢに焦点を合わせることによって、ＵＥは、サービス利用不可（ＯＯＳ）期間の長期化を回避することができる。
2014534679.tif 000002
【特許請求の範囲】
【請求項１】
ネットワークのアクセスポイントへの接続のためのクライアント機器であって、
無線インターフェースと、
プロセッサと、
前記プロセッサとデータ通信する記憶装置と、を備え、前記記憶装置が、前記プロセッサによって実行されると、前記クライアント機器に、
アクセスポイントのリストを保守させ、前記リストが、接続要求に確実にサービス提供する可能性を有するアクセスポイントを特定するために有用な、１つ以上のパラメータを含み、
前記１つ以上のパラメータに基づいて、第１のアクセスポイントを特定させ、
前記第１のアクセスポイントへの接続を確立させる、コンピュータ実行可能命令を含み、
前記クライアント機器は、ロングタームエボリューション（ＬＴＥ）ユーザ装置（ＵＥ）を含み、前記アクセスポイントのリストが、前記ＵＥを予期せずして接続解除した拡張型ノードＢ（ｅＮＢ）のブラックリストを含み、前記第１のアクセスポイントの前記特定が、前記第１のアクセスポイントが（ｉ）前記ブラックリスト上に存在しないこと、及び（ｉｉ）望ましい受信信号強度を有することの双方に、少なくとも部分的に基づく、クライアント機器。
【請求項２】
前記アクセスポイントのリストが、接続のために利用不可能なアクセスポイントのブラックリストを含む、請求項１に記載のクライアント機器。
【請求項３】
前記アクセスポイントのリストが、接続のために好ましいアクセスポイントのホワイトリストを含む、請求項１に記載のクライアント機器。
【請求項４】
前記１つ以上のパラメータが、履歴データを含む、請求項１に記載のクライアント機器。
【請求項５】
前記１つ以上のパラメータが、タイマーに従って失効する、請求項１に記載のクライアント機器。
【請求項６】
前記パラメータのうちの少なくとも１つが、アクセスポイントの能力又は構成パラメータを含む、請求項１に記載のクライアント機器。
【請求項７】
ネットワークのアクセスポイントに接続するための方法であって、
アクセスポイントのリストを保守するステップであって、前記リストが、接続に関して不適切であるとして特定される１つ以上のアクセスポイントを含む、ステップと、
利用可能アクセスポイントを探索するステップと、
前記探索された利用可能アクセスポイントから、第１のアクセスポイントを決定するステップであって、前記第１のアクセスポイントが、前記アクセスポイントのリスト上に存在しない、ステップと、
前記決定された第１のアクセスポイントへの接続を確立するステップと、を含む、方法。
【請求項８】
前記クライアント機器が、ロングタームエボリューション（ＬＴＥ）ユーザ装置（ＵＥ）を含み、前記アクセスポイントが、拡張型ノードＢ（ｅＮＢ）を含む、請求項７に記載の方法。
【請求項９】
前記アクセスポイントのリストの各エントリが、対応するタイマーと関連付けられる、請求項７に記載の方法。
【請求項１０】
前記有効期限タイマーが満了することに応答して、前記エントリが前記リストから除去される、請求項９に記載の方法。
【請求項１１】
前記有効期限タイマーが満了することに応答して、前記エントリが更新される、請求項９に記載の方法。
【請求項１２】
前記決定するステップが、前記探索された利用可能アクセスポイントの前記受信信号強度に、少なくとも部分的に基づく、請求項７に記載の方法。
【請求項１３】
前記決定するステップが、前記探索された利用可能アクセスポイントの能力に、少なくとも部分的に基づく、請求項７に記載の方法。
【請求項１４】
ネットワークのアクセスポイントにクライアント機器を接続するための方法であって、
複数個の利用可能アクセスポイントを特定するステップと、
アクセスポイントのリストにアクセスするステップであって、前記リストが、前記リスト記載のアクセスポイントのそれぞれに関する１つ以上のパラメータに関連する情報を含み、前記情報が、接続要求に確実にサービス提供する好適な可能性を有するアクセスポイントを判定するために有用である、ステップと、
前記１つ以上のパラメータ及び前記特定された複数個の利用可能アクセスポイントに、少なくとも部分的に基づいて、前記リストから第１のアクセスポイントを決定するステップと、
前記決定された第１のアクセスポイントへの接続を要求するステップと、
付与された要求に応答して、前記決定された第１のアクセスポイントへの接続を確立するステップと、を含む、方法。
【請求項１５】
前記クライアント機器が、ロングタームエボリューション（ＬＴＥ）ユーザ装置（ＵＥ）を含み、前記第１のアクセスポイントが、拡張型ノードＢ（ｅＮＢ）を含む、請求項１４に記載の方法。
【請求項１６】
前記第１のアクセスポイントを決定する前記ステップが、その適合性を保証するために、前記第１のアクセスポイントの前記受信信号強度の示度を評価するステップを更に含む、請求項１４に記載の方法。
【請求項１７】
前記接続が、データ転送のための無線リソース接続（ＲＲＣ）を含む、請求項１４に記載の方法。
【請求項１８】
前記接続が、ハンドオーバー要求を含む、請求項１４に記載の方法。
【請求項１９】
前記接続が、セル選択又は再選択要求を含む、請求項１４に記載の方法。
【請求項２０】
無線ネットワーク内部での好適な接続待ち時間を維持する方法であって、
モバイル機器と前記ネットワークのアクセスポイントとの間の接続を形成する必要性を特定するステップと、
前記ネットワークの第１のアクセスポイントによる履歴上の接続中断に関連する、少なくとも１つのメトリックを評価するステップと、
前記評価に少なくとも部分的に基づいて、前記接続の形成に関して前記第１のアクセスポイントに勝る第２のアクセスポイントを選択するステップと、を含み、前記第２のアクセスポイントが、前記第１のアクセスポイントよりも望ましくないエアインターフェース品質を有するが、前記第１のアクセスポイントよりも良好な履歴上の中断のメトリックを有する、方法。
【請求項２１】
ロングタームエボリューション（ＬＴＥ）無線ネットワーク内で、好適な接続性能を維持する方法であって、
不良な呼接続サービスの履歴を有する、前記ネットワークの１つ以上の基地局との接続を、少なくとも一定の期間にわたって、選択的に回避するステップと、
前記不良な履歴を有する前記１つ以上の基地局に関連付けられる信号品質に関わりなく、不良な呼接続サービスの履歴を有さない１つ以上の基地局を、選択的に利用するステップと、を含み、
前記選択的に回避するステップ及び前記選択的に利用するステップが協働して、接続性能に対する望ましくない影響を回避する、方法。
【請求項２２】
ネットワークのアクセスポイントへの接続のためのクライアント機器であって、
無線インターフェースと、
プロセッサと、
前記プロセッサとデータ通信する論理と、を備え、前記論理は、
前記無線インターフェースを使用して、ネットワークエンティティによって保守される前記ネットワーク内部のアクセスポイントのリストを、少なくとも定期的に取得し、前記リストが、接続要求に確実にサービス提供する可能性を有するアクセスポイントを特定するために有用な、１つ以上のパラメータを含み、
前記無線インターフェースが接続の損失を経験する場合、最後に取得したリストから、前記１つ以上のパラメータに基づいて第１のアクセスポイントを特定し、かつ、
前記第１のアクセスポイントへの新たな接続を確立するように、構成される、クライアント機器。
【発明の詳細な説明】
【技術分野】
【０００１】
（優先権）
本出願は、全体が参照により本明細書に組み込まれる、同一表題の、２０１１年１０月７日に出願された、共有される同時係属中の米国特許出願第１３／２６９，４９８号に対する優先権を主張する。
【０００２】
（著作権）
本特許文献の開示の一部分は、著作権保護の対象となる資料を含む。本著作権所有者は、特許商標庁の特許ファイル若しくは記録に見られるような、本特許文献又は本特許開示の何人によるファクシミリ複製に対しても異議を唱えるものではないが、それ以外の場合には、全ての著作権を保有する。
【０００３】
本開示は、全般的に、モバイル無線ネットワークの分野に関する。より詳細には、例示的な一観点では、本開示は、先進のセルラーネットワーク内部の基地局へのデータ接続を開始又は再開するための、方法及び装置を目的とする。
【背景技術】
【０００４】
セルラーネットワークなどの無線ネットワークは、基地局のネットワークを介して、広大な地理的エリアにわたって、モバイル機器にネットワークサービスを提供する。通常動作の間、モバイル機器は、セルラーネットワークを介してデータを送信及び受信する（例えば、音声通話、テキストメッセージなどを発信又は受信する）ために、基地局への「接続」を確立する。モバイル機器が移動する際には、モバイル機器及びセルラーネットワークは、モバイル機器が最適な基地局に終始一貫して接続することができることを保証するために、様々な移動性管理機能を実行する。例えば、アクティブな接続の間に、セルラーネットワークは、第１の基地局から第２の基地局への、アクティブな接続に関する「ハンドオーバー」を開始することができ、後者の基地局は、その場合の支配的な動作条件及び地理的条件下での動作に関して、より最適化されている。同様に、モバイル機器が「アイドル」である（すなわち、セル内部で登録されているが、アクティブな通信を伴わない）場合、そのモバイル機器は、セルに「キャンプ」オンして（すなわち、基地局のセルを監視して）、キャンプオンするための新たなセルを、間欠的に選択することができる（一般的には「セル選択」及び「セル再選択」とも称される）。
【０００５】
ロングタームエボリューション（ＬＴＥ）は、特に高速データ転送を最大限に高めるように設計された、新興のセルラーネットワーク規格である。ＬＴＥ（及び、その関連する後継のＬＴＥアドバンスト（ＬＴＥ−Ａ））は、移動通信用のグローバルシステム（ＧＳＭ（登録商標））、汎用パケット無線サービス（ＧＰＲＳ）、ＧＳＭ（登録商標）進化型高速データレート（ＥＤＧＥ）、ユニバーサル移動体通信システム（ＵＭＴＳ）、高速パケットアクセス（ＨＳＰＡ）などを含むセルラー技術系列の、最新の後継技術である。ＬＴＥは、オールインターネットプロトコル（ＩＰ）データ配信パラダイムを提供する、いわゆる「第４世代」（４Ｇ）セルラーネットワーク技術の最初である（すなわち、４Ｇ技術は、データパケット配信のみに限定される）。ＬＴＥの現在の実装は、基地局を協調させることがなく、その代わりに、ネットワーク全体は、（極めて最小限の階層構造を有する）「平板化された」ＩＰネットワークである。この非協調的なＬＴＥネットワークインフラストラクチャの性質により、ブレークビフォアメークタイプのトランザクションがもたらされ、例えば、ＬＴＥハンドオーバーは、モバイル機器が、第２の基地局との接続を回復する前に、その第１の基地局との接続を切断する点で、「ハード」である。モバイル機器が、第１の基地局との接続を切断する前に、第２の基地局に接続する、いわゆる「ソフト」ハンドオーバーと対比されたい。
【０００６】
ＬＴＥセルラーネットワークの現在の実装は、受信信号強度に基づいて、セル選択、セル再選択、及びハンドオーバーを処理する。受信信号強度は、モバイル機器で受信される際の信号電力の測定値である。歴史的には、受信信号強度は、モバイル機器が、複数の基地局から受信される信号の相対的品質を確認するための、計算効率の良いメトリックであった。従来のセルラー技術は、したがって、雑音のある無線チャネルを通じた、モバイル機器とセルラーネットワークとの接続を維持することに、主として焦点を当てていた。
【０００７】
しかしながら、他のセルラー規格とは異なり、ＬＴＥ技術は、モバイル機器との接続を、頻繁に切断及び再確立するように設計される。実際に、ＬＴＥネットワークは、多くの他の考慮事項に関わりなく、ネットワーク全体の性能を最大限に高めるように構成される。例えば、いくつかの場合には、ＬＴＥネットワークを使用するモバイル機器へのアクティブな接続は、その基地局が、より良好なサービスを他の機器に提供することを可能にするために、突然終了する場合がある。同様に、ＬＴＥ内部でのハンドオーバーは、必ずしも提供されない場合がある（例えば、目的基地局が、ネットワーク輻輳により、ハンドオーバー要求にサービス提供することができない場合など）。ＬＴＥネットワークは、モバイル機器が良好な受信（例えば、高い受信信号強度）を有する場合であっても、そのモバイル機器への接続を切断することができる。その結果、旧来のセルラーネットワーク技術とは異なり、受信品質は、モバイル機器がＬＴＥ基地局に期待することができるサービス品質を、正確に反映しない場合がある。
【０００８】
前述のように、既存のＬＴＥモバイル機器は、最高の受信信号強度を有する基地局へのデータ接続を、確立又は再確立することを試みる。残念ながら、モバイル機器が基地局から切断される多くの状況では、そのモバイル機器が接続解除されたばかりの、その移動局はまた、最高の受信信号強度を有する基地局でもある。その結果、ＬＴＥモバイル機器は、その同じ基地局へのデータ接続を再確立することを試みるが、しかしながら、多くの場合、その基地局は、考え得る幾つもの理由のために、そのＬＴＥモバイル機器を依然としてサポートすることができない。このことにより、ＬＴＥモバイル機器が、その同じ（かつ表面上は最適な）基地局に接続を回復することができない、サービス利用不可（ＯＯＳ）期間の長期化が生じる恐れがある。
【発明の概要】
【発明が解決しようとする課題】
【０００９】
したがって、受信品質に加えて、理想的には、データ転送要求に確実にサービス提供する基地局の傾向を考慮に入れる、ＬＴＥモバイル機器のセル選択、セル再選択、及びハンドオーバーに関する、改善された解決策が必要とされる。より全般的には、先進のセルラーネットワーク内部の基地局へのデータ接続を開始若しくは再開するための、改善された方法及び装置が必要とされる。
【課題を解決するための手段】
【００１０】
上述の必要性は、本明細書で、とりわけ、先進のセルラーネットワーク内部の基地局へのデータ接続を開始若しくは再開するための、改善された装置及び方法を提供することによって、満たされる。
【００１１】
第１に、ネットワークへの接続のためのクライアント機器が開示される。一実施形態では、このクライアント機器は、無線インターフェースと、プロセッサと、このプロセッサとデータ通信する記憶装置とを備え、この記憶装置は、コンピュータ実行可能命令を含み、このコンピュータ実行可能命令は、プロセッサによって実行されると、無線アクセスポイント（例えば、基地局又はアクセスポイント）のリストを保守し、そのリストが、接続要求に確実にサービス提供する可能性を有するアクセスポイントを特定するために有用な、１つ以上のパラメータを含むものであり、それらの１つ以上のパラメータに基づいて、第１のアクセスポイントを特定し、その第１のアクセスポイントへの接続を確立するように構成される。
【００１２】
例示的な一変形形態では、クライアント機器は、ロングタームエボリューション（ＬＴＥ）ユーザ装置（ＵＥ）を含み、アクセスポイントのリストは、ＵＥを予期せずして接続解除した拡張型ノードＢ（ｅＮＢ）のブラックリストを含み、第１のアクセスポイントの特定は、その第１のアクセスポイントが、ブラックリスト上に存在しないこと、及び望ましい受信信号強度を有することに、少なくとも部分的に基づく。
【００１３】
別の変形形態では、アクセスポイントのリストは、接続のために利用不可能なアクセスポイントのブラックリストを含む。
【００１４】
更に別の変形形態では、アクセスポイントのリストは、接続のために好ましいアクセスポイントのホワイトリストを含む。
【００１５】
更に別の変形形態では、１つ以上のパラメータは、履歴データを含む。
【００１６】
いくつかの実装では、１つ以上のパラメータは、タイマーに従って失効する。パラメータのうちの少なくとも１つはまた、例えば、アクセスポイント能力も含み得る。
【００１７】
別の実施形態では、クライアント機器は、無線インターフェースと、プロセッサと、このプロセッサとデータ通信する記憶装置とを含み、この記憶装置は、コンピュータ実行可能命令を備える。それらの命令は、プロセッサによって実行されると、無線インターフェースを使用して、ネットワークエンティティによって保守されるネットワーク内部のアクセスポイントのリストを、少なくとも定期的に取得し、そのリストが、接続要求に確実にサービス提供する可能性を有するアクセスポイントを特定するために有用な、１つ以上のパラメータを含むものであり、無線インターフェースが接続の損失を経験する場合、最後に取得したリストから、それらの１つ以上のパラメータに基づいて第１のアクセスポイントを特定し、その第１のアクセスポイントへの新たな接続を確立するように構成される。
【００１８】
更には、ネットワークのアクセスポイントに接続するための方法が開示される。例示的一実施形態では、この方法は、アクセスポイントのリストを保守するステップであって、そのリストが、接続に関して不適切であるとして特定される１つ以上のアクセスポイントを含む、ステップと、利用可能アクセスポイントを探索するステップと、探索された利用可能アクセスポイントから、第１のアクセスポイントを決定するステップであって、この第１のアクセスポイントが、アクセスポイントのリスト上に存在しない、ステップと、決定された第１のアクセスポイントへの接続を確立するステップと、を含む。一変形形態では、クライアント機器は、ロングタームエボリューション（ＬＴＥ）ユーザ装置（ＵＥ）を含み、アクセスポイントは、拡張型ノードＢ（ｅＮＢ）を含む。
【００１９】
別の実施形態では、この方法は、複数個の利用可能アクセスポイントを特定するステップと、アクセスポイントのリストにアクセスするステップであって、そのリストが、リスト記載のアクセスポイントのそれぞれに関する１つ以上のパラメータに関連する情報を含み、その情報が、接続要求に確実にサービス提供する好適な可能性を有するアクセスポイントを判定するために有用である、ステップと、それらの１つ以上のパラメータ及び特定された複数個の利用可能アクセスポイントに、少なくとも部分的に基づいて、そのリストから第１のアクセスポイントを決定するステップと、決定された第１のアクセスポイントへの接続を要求するステップと、付与された要求に応答して、決定された第１のアクセスポイントへの接続を確立するステップと、を含む。
【００２０】
無線ネットワーク内部での好適な接続待ち時間を維持する方法が、更に本明細書で開示される。一実施形態では、この方法は、モバイル機器とネットワークのアクセスポイントとの間の接続を形成する必要性を特定するステップと、そのネットワークの第１のアクセスポイントによる履歴上の接続中断に関連する、少なくとも１つのメトリックを評価するステップと、その評価に少なくとも部分的に基づいて、接続の形成に関して第１のアクセスポイントに勝る第２のアクセスポイントを選択するステップと、を含み、この第２のアクセスポイントは、第１のアクセスポイントよりも望ましくないエアインターフェース品質を有するが、第１のアクセスポイントよりも良好な履歴上の中断のメトリックを有する。
【００２１】
ロングタームエボリューション（ＬＴＥ）無線ネットワーク内で、好適な接続性能を維持する方法もまた、開示される。一実施形態では、この方法は、不良な呼接続サービスの履歴を有する、ネットワークの１つ以上の基地局との接続を、少なくとも一定の期間にわたって、選択的に回避するステップと、その不良な履歴を有する１つ以上の基地局に関連付けられる信号品質に関わりなく、不良な呼接続サービスの履歴を有さない１つ以上の基地局を、選択的に利用するステップと、を含む。これらの選択的な回避及び利用が協働して、接続性能に対する望ましくない影響を回避する。
【００２２】
コンピュータ可読装置が、更に開示される。一実施形態では、この装置は、少なくとも１つのコンピュータプログラムを記憶する記憶媒体を含み、このプログラムは、クライアント装置の処理機器で実装されると、アクセスポイント（例えば、基地局）の特定、及び無線接続を形成するための選択論理を実装する、命令を含む。
【００２３】
モバイル機器によって、接続のためのアクセスポイントを選択する方法もまた、開示される。
【００２４】
モバイル機器によって、接続のための無線ネットワークの複数個のアクセスポイントを、評価及びランク付けする方法が、更に開示される。
【００２５】
更には、インテリジェントな接続の確立及び維持を介して、モバイル機器のデータスループットを向上させる方法が、開示される。
【００２６】
他の特徴及び有利点は、添付図面、及び以下に記載されるような例示的実施形態の詳細な説明を参照することで、当業者によって即座に認識されるであろう。
【図面の簡単な説明】
【００２７】
【図１】クライアント機器からアクセスポイントの集団のうちの１つへのデータ接続を開始又は再開するための、一般的な方法の一実施形態を示す論理フロー図である。
【図１Ａ】図１の方法の、第１の例示的実施を示す論理フロー図である。
【図１Ｂ】図１の方法の、第２の例示的実施を示す論理フロー図である。
【図１Ｃ】図１の方法の、第３の例示的実施を示す論理フロー図である。
【図２】例示的な先行技術の（すなわち、ロングタームエボリューション（ＬＴＥ）無線リソース制御（ＲＲＣ）プロトコルに従った）ステートマシンの図形的表現である。
【図３】ユーザ機器（例えば、ロングタームエボリューション（ＬＴＥ）ユーザ装置（ＵＥ））と基地局（例えば、拡張型ノードＢ（ｅＮＢ））との間のデータ接続を開始又は再開するための方法の、例示的一実施形を示す論理フロー図である。
【図４】図３で説明される例示的方法を示す、例示的なユースケースシナリオの図形的表現である。
【図５】データ接続を開始又は再開するように構成されたモバイル機器の一実施形態を示す、機能ブロック図である。
【００２８】
全ての図は、２０１１年に作成され、２０１２年に最終更新されたものであり、その全ての著作権はＡｐｐｌｅ  Ｉｎｃ．が保持している。
【発明を実施するための形態】
【００２９】
ここで図面を参照するが、全体を通して、同様の番号は同様の部分を指す。
【００３０】
概要
本開示に記載される１つの特徴において、クライアント機器は、接続及び／又は再接続に関して望ましいアクセスポイントを特定するための、評価を実行する。この評価は、一実施形態では、（ｉ）受信特性、及び（ｉｉ）データ転送要求に確実にサービス提供する履歴上の傾向の双方の観点から実行される。一実装では、例示的なロングタームエボリューション（ＬＴＥ）ユーザ装置（ＵＥ）は、ＬＴＥ拡張型ノードＢ（ｅＮＢ）の「ブラックリスト」を記憶する。このブラックリストには、従前にＵＥを予期せずして接続解除したｅＮＢが投入される。ＵＥは、そのブラックリスト記載のｅＮＢを回避して、他のｅＮＢに接続することを試みる。従前にＵＥにサービス提供することが不可能であったｅＮＢを回避して、その代わりに、より低い受信品質を有し得る（しかしながら、ＵＥにサービス提供することには、より適している可能性がある）他のｅＮＢに焦点を合わせることによって、そのＵＥは、サービス利用不可（ＯＯＳ）期間の長期化を回避することができる。
【００３１】
代替的一実施形態では、クライアント機器は、「ホワイトリスト」を記憶し、このホワイトリストは、使用に関して一時的及び／又は恒久的に好ましいアクセスポイントを特定する。更に他の実施形態では、クライアント機器は、幾つかのエントリを記憶し、各エントリは、アクセスポイント（例えば、基地局）と、データ転送要求に確実にサービス提供する可能性に従って、それらの基地局をランク付けするために使用することができる、１つ以上のフィールドとを特定する。基地局特性、受信特性の双方、及びその他（例えば、ユーザ要件、基地局要件、コスト配慮など）を包含する多種多様なフィールドを、本開示と整合させて使用することができる。
【００３２】
例示的実施形態の詳細な説明
本開示の例示的実施形態を、ここで詳細に説明する。これらの実施形態は、主としてセルラーデータネットワークとの関連で論じられるが、本明細書に記載される一般的原理及び有利点は、広帯域、狭帯域、有線、若しくは無線、又は別の方式のいずれであるかに関わらず、他のタイプのネットワーク並びにアーキテクチャに拡張することができ、それゆえ以下の内容は、本質的に例示であるに過ぎない。
【００３３】
例えば、本開示の様々な態様は、限定するものではないが、「Ｗｉ−Ｆｉ」（例えば、ＩＥＥＥ−規格８０２．１１の変形のいずれか）及び「ＷｉＭａｘ」（例えば、ＩＥＥＥ−規格８０２．１６の変形のいずれか）、並びに他のタイプのセルラーネットワークを含めた、他の無線ネットワークに広く適用可能であることが、当業者には認識されるであろう。
【００３４】
方法
図１は、アクセスポイントの集団のうちの１つに対するクライアント機器へのデータ接続を開始又は再開するための、一般的な１つの方法を示す。本明細書で使用するとき、用語「アクセスポイント」とは、データ接続性又は信号接続性をユーザ機器に提供するあらゆる種類の装置を、限定することなく、広範に包含することを意図するものである。例えば、セルラーネットワーク内の無線基地局は、アクセスポイントの１つのタイプであるが、ＷＬＡＮ内のＷｉ−Ｆｉ  ＡＰ（アクセスポイント）は、別のタイプのアクセスポイントである。赤外線（ＩＲ）受信機は、更に別のタイプのアクセスポイントであり、マイクロ波／ミリメートル波受信機（例えば、パラボラアンテナ）も、別のタイプのアクセスポイントである。
【００３５】
また、本明細書で使用するとき、用語「クライアント機器」又は「ユーザ機器」も、１つ以上のアクセスポイントと直接的又は間接的に通信することができる、あらゆる種類の電子機器を、全般的かつ限定することなく指すものである。例えば、モバイルスマートフォンは、セルラーインターフェース（エアインターフェース）を介して、基地局と通信することができる。同じスマートフォンはまた、そのＷＬＡＮインターフェースを使用して、Ｗｉ−Ｆｉ  ＡＰと通信することもできる。
【００３６】
図１の方法のステップ１０２では、クライアント機器は、アクセスポイントのリストを保守する。例示的一実施形態では、クライアント機器は、ＬＴＥハンドセット又はスマートフォンであり、アクセスポイントは、ＬＴＥ基地局であり、リストは、ＬＴＥハンドセットの内部データベースとして（例えば、機器のメモリ内に）記憶される。他の実施形態では、クライアント機器は、無線ネットワーク（例えば、その無線ネットワーク上のサーバ又は他の機器）を使用して、これらの上述のリストを保守し、クライアント機器は、要求に応じて、例えば、定期的に、又は接続が切断される直前に、そのリストにアクセスすることができる。更に別の代替案としては、このリストは、第３のエンティティによって保守することができ、クライアント機器は、それに対する異なるインターフェース（例えば、ＷＬＡＮインターフェース）を使用して、以下で説明されるようなセルラーインターフェース（例えば、ＬＴＥ）に関連する後続の処理のためのリスト情報を、取得することができる。
【００３７】
この場合のＬＴＥネットワークとの関連では、クライアント機器は、複数のアクセスポイントに接続することが可能であり、それらのアクセスポイントは、受信品質とは無関係な理由で、クライアント機器を接続解除することができる。
【００３８】
いくつかの実施形態では、アクセスポイント及びクライアント機器は、パケット交換動作に更に限定される。パケット交換ネットワークは、データを「パケット」へと分割し、それらのパケットは、典型的には最善努力原則で、ネットワークを通じて送信される（すなわち、パケットは廃棄されるか、又は到着順序が変わる場合などがある）。対照的に、回線交換ネットワークは、トランザクションの有効期間中は「有効」である、発信元と宛先との間の固定接続又は固定回線を、セットアップする。本開示の様々な実施形態は、パケット及びパケット交換ネットワークに関して論じられるが、回線交換ネットワークは、特に、回線交換ネットワークが、受信とは無関係な理由で（例えば、より高い優先度の回線にリソースを再割り当てするためなどに）、進行中の接続を切断することができる構成で、本開示の様々な機構に関する類似用途を見出すことができる点が、更に理解されよう。
【００３９】
一実施形態では、このリストは、「ブラックリスト記載」（利用不可アクセスポイント）を含み得る。例えば、例示的一実施形態では、モバイル機器は、最近又は履歴上で、動作中のモバイル機器を接続解除した基地局の、リストを記憶する。過去のいずれかの時点で、好適なサービスを提供することができなかった基地局が、このブラックリストにより追跡されるため、モバイル機器は、その代わりに、より低い受信品質を有し得る（又は有し得ない）が、好適なサービスを提供する傾向がより高い基地局に、集中することができる。
【００４０】
あるいは、このリストは、「ホワイトリスト記載」（利用可能アクセスポイント）を含み得る。例えば、（モバイル機器を接続解除することがなかった）第１の基地局に接続されているモバイル機器であって、第２の基地局へのハンドオーバーを自発的に実行し、バックアップ手段として、その第１の基地局をホワイトリスト上に追加する、モバイル機器を考察する。その後、モバイル機器が、第２の基地局から接続解除される場合には、そのモバイル機器は、元の第１の基地局に再接続することができる。
【００４１】
更に他の実施形態では、このリストは、基地局に関連付けられる１つ以上の因子の重み付きを含み得る。例えば、モバイル機器は、基地局エントリのリストを含み得るものであり、各基地局エントリは、（ｉ）移動体に起因する接続解除の数、（ｉｉ）基地局に起因する接続解除の数、（ｉｉｉ）サポートされる変調能力、コード化能力、及び帯域幅能力、（ｉｖ）平均サービス品質、（ｖ）ピークデータレート、（ｖｉ）平均データレート、（ｖｉｉ）ピーク誤り率、（ｖｉｉｉ）平均誤り率、（ｉｘ）ピーク待ち時間、（ｘ）平均待ち時間、（ｘｉ）優遇措置（例えば、モバイル機器が、好ましいグループ、例えば、クローズドサービスのグループ（ＣＳＧ）の一部である場合）、（ｘｉｉ）インフラストラクチャのベンダー（例えば、サービス又はコストの理由で、特定のインフラストラクチャのベンダーを選択することができる場合など）、（ｘｉｉｉ）機器のタイプ（例えば、マクロセル、マイクロセル、フェムトセル、ピコセルなど）などの、関連付けられる基地局の能力に関連する、複数のフィールドを含む。いくつかの変形形態では、重み付きアルゴリズムは、更に、又は代替的に、（限定するものではないが）受信信号強度示度（ＲＳＳＩ）、信号対雑音比（ＳＮＲ）、飛行時間（例えば、総距離）、地理的制約などの、物理パラメータを考慮する。更に他の変形形態では、重み付きアルゴリズムは、例えば、ユーザによる選択、ビジネス上の考慮事項などの、コスト及びユーザエクスペリエンスの考慮事項を、更に考慮することができる。例えば、モバイル機器が「私用」モード及び「ビジネス」モードの双方を有し、それらの２つの間で、重み付き、考慮されるパラメータ、セキュリティ、ＱｏＳ、コストなどが異なり、それゆえ、行われている通話が、私用通話であるか、又はビジネスの通話であるかに応じて、基地局の選択が異なる可能性がある場合などには、動作モードもまた、考慮することができる。例えば、「ビジネス」の通話には、より良好な品質、より良好なＱｏＳ、より良好なセキュリティを有する基地局の選択が必要となり得るが、コストはそれほど懸念されない。
【００４２】
特定のタイプのイベント若しくはパラメータの、履歴又は時間的近接性を考慮することができる点もまた、理解されるであろう。例えば、所定の基地局は、比較的多数の基地局起動の接続解除を有し得るが、しかしながら、それらの大部分は、遠い過去に発生した場合があり（すなわち、「最近」ではなく、その定義は、クライアント機器の製造元、ユーザ、又は更にネットワークオペレータによって規定することができる）、そのため、特定の基地局が、無期限に権利を損なうことはない。したがって、一変形形態では、より最近の性能の履歴が、評価プロセスの一部として遙かに大きく重み付きされるように、重み付きアルゴリズム内部で、Ｘ日移動ウィンドウ又はＸ日移動平均を使用することができる。
【００４３】
そのような一実施形態では、モバイル機器は、１つ以上のタイマーに従って、追加的にリストを更新する。そのような一実施形態では、リスト内の各エントリは、対応するタイマーと関連付けられ、対応するタイマーが満了すると、そのエントリが更新される。そのような一変形形態では、タイマー満了時に、リストからエントリが削除される。代替的変形形態では、エントリは、重み付きを上方又は下方調整させ、タイマーをリセットさせることができる。更に他の実施形態では、エントリは、タイマー満了時に、新たな情報で（例えば、監視データに基づいて）更新され、タイマーがリセットされる。
【００４４】
重み付き動作では、１つ以上のフィールドが、特定の値又は重み関数と関連付けられる。一実装でのモバイル機器は、基地局の総加重値に基づいて、最も好ましいものから最も好ましくないものまでの順序で、利用可能基地局をランク付けする。モバイル機器は、したがって、最も好ましい基地局への接続を最初に試み、次いで、その次に最も好ましい基地局への接続などを試みる。基地局がモバイル機器を接続解除する場合には、モバイル機器は、関連する基地局エントリを適宜に調整し、より良い選択肢が存在しない場合を除き、その基地局に再接続することは試みない。
【００４５】
他の実施形態では、リスト内のエントリは、更新メッセージに従って更新される。例えば、そのような一変形形態では、クライアント機器は、一斉送信される制御メッセージを定期的に受信することができ、その一斉送信される制御メッセージは、近傍のアクセスポイントについての状態を含む。更に他の実施形態では、このリストは、機器の内部ブックキーピングに応じて更新することもできる。内部ブックキーピング機構の一般的な実装としては、例えば、（ｉ）スケジュール化された定期的なエントリの更新、（ｉｉ）アプリケーション又はイベントによって決定される、エントリのトリガ型の更新、（ｉｉｉ）ユーザ又はユーザ設定によって決定される、エントリのトリガ型の更新などが挙げられる。
【００４６】
図１の方法のステップ１０４では、クライアント機器は、保守されるリストに基づいて、１つ以上のアクセスポイント機器を探索する。例示的実施形態では、モバイル機器は、全ての基地局を探索及び／又は監視し、その保守されるリストに基づいて、それらの基地局のサブセットのみに、基地局の選択を絞り込む。例えば、いくつかの実施形態では、ハンドセットは、後続の（例えば、ステップ１０６に従って）接続に関して、ブラックリストに記載されていない基地局か、又はあるいは、ホワイトリスト上に存在する基地局のみを、考慮することができる。ブラックリスト記載の基地局が、実際に最後の手段として（例えば、最良から最悪のランクまで）使用され、ホワイトリスト記載の基地局が（例えば、最良から最悪のランクまで）最初に使用され、いずれのリスト上にもない基地局（別名「グレーリスト」局）が、重み付き又は何らかの他の基準に従って、例えば、履歴上の接続解除数、ＲＳＳＩなどに基づいてオンザフライで評価され、ホワイトリストの可能性が使い果たされた後ではあるが、ブラックリストの局が試みられる前に使用される場合などの、ブラックリスト及びホワイトリストの論理の組み合わせもまた、想起される。多種多様な他の順列又は論理的構成概念が、本開示が与えられる場合、当業者によって認識されるであろう。
【００４７】
同様に、複数の因子に基づいて重み付き分析を実行する実施形態は、全ての基地局を探索及び／又は監視して、後続の処理に関するデータを収集することができる。
【００４８】
いくつかの代替的実施形態では、クライアント機器は、最初から、基地局のサブセットのみを探索及び／又は監視することが可能となる場合がある。例えば、いくつかの無線技術は、識別をオープンに一斉送信し、そのような無線ネットワーク内では、モバイル機器は、ブラックリスト記載のネットワークを除外して、対象となるネットワークのみに焦点を合わせることができる。
【００４９】
余談として、ＬＴＥセルの探索動作の間は、ＬＴＥハンドセットは、そのハンドセットがスロット境界のタイミングを取得することを可能にする、一次同期シンボル（ＰＳＳ）を探索する。ＬＴＥハンドセットが、スロット境界のタイミングを取得した後、そのハンドセットは、無線フレームのタイミング及びセルのグループの識別を提供する、二次同期シンボル（ＳＳＳ）を探索する。ハンドセットが、無線フレームのタイミングを取得した後、そのハンドセットは、セル制御チャネルを復号して、例えば、システム情報ブロック（ＳＩＢ）及びマスター情報ブロック（ＭＩＢ）から、セルラーネットワークサービスプロバイダー（公衆陸上移動ネットワーク（ＰＬＭＮ））を判定することができる。ＬＴＥネットワーク内部で、ハンドセットは、ブロードキャスト制御情報（例えば、ＳＩＢ）を復号した後、基地局の識別を判定する。
【００５０】
そのようなＬＴＥネットワーク内部では、本開示の例示的実施形態は、全ての近傍の基地局を探索及び監視して、その後に、局所又は遠隔に記憶されたブラックリスト（又はホワイトリスト、重み付きリストなど）を、セル接続の決定の基準として用いるように構成される。具体的には、ＬＴＥ基地局の識別は、何らかの方式で復号しなければならないＳＩＢ制御ブロック内部に記憶されるため、ＬＴＥハンドセットは、内部に記憶されたブラックリスト／ホワイトリストを使用する前に、全ての近傍の基地局ＳＩＢを完全に復号しなければならない。
【００５１】
しかしながら、上述の制約は、ＬＴＥ技術の限界であり、他の技術は、全ての基地局の探索を必要としない場合があることが理解されよう。例えば、アクセスポイントが、その識別をオープンに一斉送信する実施形態では、クライアント機器は、ブラックリストに記載されていない任意の周囲の基地局の受信信号強度（例えば、ＲＳＳＩ）を、選択的に算出することができ、又はあるいは、そのハンドセットは、ホワイトリストから特定される１つ以上の好ましい基地局を探索することができる。
【００５２】
本開示の例示的実施形態では、図１の方法のステップ１０４は、モバイル機器が基地局から接続解除される場合、それに応答してトリガされる。例えば、そのような一実施例では、基地局は、瞬間的又は半永久的なネットワーク輻輳を経験し、その現在の容量で動作を継続することが不可能となる。このことに応答して、その基地局は、モバイル機器から接続解除する。
【００５３】
別のそのような実施例では、第１の基地局が、モバイル機器に関するハンドオーバー手順を開始して、そのモバイル機器を第２の基地局に移行させることを試みる。この移行の間は、第２の基地局は、適正な期間の範囲内で、モバイル機器にサービス提供することが不可能であり、モバイル機器を解放する。
【００５４】
予期せぬ接続終了の更に他の例としては、（限定するものではないが）トランザクションプロトコルに従った応答の失敗、定期的な通信の開始の失敗、許容不可能なネットワーク性能、許容不可能な機器性能、異常な挙動、ＱｏＳ（サービス品質）の損失、セキュリティの損失などなどの状況が挙げられる。
【００５５】
代替的実施形態では、ステップ１０４は、モバイル機器が基地局に接続又は再接続することを試みる際に、開始される。例えば、そのような一実施例では、モバイル機器は、「アイドル」モードで動作している場合があり、ユーザ起動のデータ転送に応答して、モバイル機器は、そのリストに基づいて、接続のための近傍の基地局を探索する。
【００５６】
更に他の実施例では、モバイル機器は、ネットワークから「ページ」を受信して、そのページングメッセージを受信するための近傍の基地局を探索することができる。
【００５７】
更に他の実施形態では、モバイル機器は、予期せぬ接続終了を有する場合があり、その同じ基地局に、即座に再接続することを試みるのではなく（又は、その同じ基地局への再接続の試みが失敗した場合）、そのハンドセットは、新たな基地局を探索することができる。
【００５８】
ステップ１０４の終結時には、クライアント機器は、保守されるリストに基づいて、少なくとも１つのアクセスポイントを選択している。それゆえステップ１０６では、クライアント機器は、選択されたアクセスポイントへの接続を確立する。例示的一実施形態では、クライアント機器は、選択されたアクセスポイントに接続することを直接試みる。例えば、ハンドセットが、物理的制約（例えば、受信信号強度）及び内部に保守されたリスト（例えば、ブラックリスト）の双方を使用して、最適な基地局を決定すると、そのハンドセットは、選択された基地局への接続を開始する。
【００５９】
他の実施形態では、クライアント機器は、選択されたアクセスポイントへの接続を要求する。例示的一実施形態では、ＬＴＥハンドセット機器は、（望ましくない可能性がある、最高の受信信号強度を有する基地局ではなく）、その選択されたＬＴＥ基地局に関する受信信号強度を報告する。これに応答して、選択されたＬＴＥ基地局は、ＬＴＥハンドセットへの接続を許容又は開始するべきであるが、しかしながら、いくつかの状況では、コアネットワークが、ネットワーク全体にわたる負荷分散若しくは輻輳の考慮事項、計画的保守、又は構成要素の故障などに基づいて、ＬＴＥハンドセットが要求した基地局を無効にすることを選択する場合がある。
【００６０】
本明細書の図１Ａ〜１Ｃは、上述の図１の方法の例示的実施を示す、様々な論理フローを示す。
【００６１】
ここで図１Ａを参照すると、図１の方法の第１の例示的実施が示される。図１Ａの方法のステップ１１２では、クライアント機器は、アクセスポイントに接続又は再接続する必要性が存在するか否かを判定する。上述の必要性が存在することを、クライアント機器が判定した場合には、その機器は、ステップ１１４に進む。
【００６２】
ステップ１１４では、クライアント機器は、アクセスポイントのブラックリストにアクセスする。本実施形態のクライアント機器は、アクセスしたブラックリストを使用して、接続又は再接続するための可能なソースとしての考慮から、アクセスポイントを除外する。
【００６３】
ステップ１１６では、クライアント機器は、本明細書の他の箇所で説明される手順などを介して、そのクライアント機器が潜在的に接続することができる利用可能アクセスポイントを特定する。クライアント機器は、続いて、特定された利用可能アクセスポイントと、ブラックリスト上に示されるアクセスポイントとを対照する。この対照の後に、残存するブラックリスト非記載のアクセスポイントが特定されない場合には、クライアント機器は、ステップ１１８で待機する。ステップ１１８の間、クライアント機器は、一変形形態では、ステップ１１６へと続けて戻る前に、既定の時間量で待機することができる。代替的変形形態では、クライアント機器は、従前に特定されなかったアクセスポイントの存在に関して、継続的に監視することができる。従前に特定されなかったアクセスポイントを検出すると、クライアント機器は、ステップ１１６へと続けて戻る。
【００６４】
ステップ１１６で、いずれかの残存するブラックリスト非記載のアクセスポイントが特定される場合には、クライアント機器は、ステップ１２０に進む。ステップ１２０では、クライアント機器は、１つ以上の因子、例えば、信号強度、サポートされる変調などを使用して、その特定されたブラックリスト非記載のアクセスポイントを評価する。
【００６５】
ステップ１２２では、クライアント機器は、接続又は再接続に使用するために、それらのブラックリスト非記載のアクセスポイントの評価された選択肢（例えば、最良又は最高評点の選択肢）を選択する。
【００６６】
代替的実装では、クライアント機器は、そのクライアント機器が気付くことになる可能性がある、後続の特定されていないアクセスポイントに関わりなく、従前には特定されなかった最初のブラックリスト非記載のアクセスポイントを選択する。
【００６７】
ここで図１Ｂを参照すると、図１の第２の例示的実施が示される。ステップ１３２では、クライアント機器は、アクセスポイントと接続又は再接続する必要性が存在するか否かを判定する。必要性が判定された場合には、クライアント機器は、ステップ１３４に進む。
【００６８】
ステップ１３４では、クライアント機器は、そのクライアント機器に記憶された、潜在的な使用に関して利用可能と見なされる（又はあるいは、選択に関して肯定的に選ばれる）アクセスポイントのホワイトリストに、アクセスする。更には、クライアント機器は、そのクライアントが現在利用可能なアクセスポイントを特定し、次いで、その利用可能アクセスポイントと、ホワイトリストに記載されるアクセスポイントとを対照する。
【００６９】
ステップ１３６に進むと、クライアント機器は、ホワイトリストに記載され、かつクライアント機器が利用可能であるような、アクセスポイントを、本明細書の他の箇所で説明されるものなどの、指定の方法論に従って、評価する。例えば、評価されたアクセスポイントは、指定の方法論に基づいて、最良から最悪までランク付けされる。
【００７０】
ステップ１３８では、クライアント機器は、接続又は再接続のために、評価された選択肢（例えば、ランクに従った最良のもの）を選択する。
【００７１】
図１Ｃは、図１の方法の第３の例示的実施を示す。ステップ１４２では、クライアント機器は、アクセスポイントに接続又は再接続する必要性が存在するか否かを判定する。上述の必要性が存在する場合には、その機器は、ステップ１４４に進む。
【００７２】
ステップ１４４では、クライアント機器は、現在利用可能な全ての利用可能アクセスポイントの選択肢を、第１のパラメトリック基準（例えば、ＲＳＳＩ、変調の適合性、能力など）に照らし合わせて評価し、それらのアクセスポイントを、最良から最悪まで、適宜に重み付き及びランク付けする。
【００７３】
ステップ１４６では、クライアント機器は、そのクライアント機器に記憶された、アクセスポイントのブラックリストにアクセスして、そのブラックリストを、ランク付けされたアクセスポイントと対照するために使用する。クライアント機器は、Ｎ位にランク付けされたアクセスポイントを対照することから開始し、最初は、Ｎは最も高いランクのアクセスポイントである。このＮのアクセスポイントがブラックリストに記載されている場合には、クライアント機器は、ステップ１５０に進み、Ｎ＋１位のアクセスポイント、例えば、次に最も高いランクのアクセスポイントとブラックリストとを対照する。Ｎ位にランク付けされたアクセスポイントが、ブラックリストに記載されなくなるまで、ステップ１５０が繰り返されることにより、ステップ１５２に進む。
【００７４】
ステップ１５２では、クライアント機器は、ブラックリスト上にない最も高いＮ位のアクセスポイントを、接続又は再接続に使用するために選択する。
【００７５】
例示的動作
ロングタームエボリューション（ＬＴＥ）基地局（一般的には「拡張型ノードＢ」（ｅＮＢ）とも称される）との関連で、データ接続を開始又は再開するための、１つの例示的方法が、ここでより詳細に説明される。前述のように、本開示による例示的なＬＴＥモバイル機器（一般的には、ユーザ装置（ＵＥ）とも称される）は、接続に関して不適切である「ブラックリスト記載」ｅＮＢのリストを、参照及び保守する（受信信号強度のみを、ｅＮＢ選択の基準として用いるのではなく）。説明されるように、このブラックリストには、例えば、履歴データ、ｅＮＢ能力などが投入される。一実施形態では、ブラックリスト記載の各ｅＮＢは、ブラックアウト期間にわたって、そのブラックリスト上に留まり、ブラックアウト期間が満了した後に、そのｅＮＢは、もはやブラックリストには記載されず、再試行することができる。このブラックアウト期間は、固定された間隔に設定することができ、又はあるいは、個々の場合に応じて動的に設定することもできる。
【００７６】
図２は、ロングタームエボリューション（ＬＴＥ）無線リソース制御（ＲＲＣ）プロトコルの、例示的なステートマシン表現を示す。各ＵＥは、２つのＲＲＣ状態、ＲＲＣ＿ＩＤＬＥ  ２０２及びＲＲＣ＿ＣＯＮＮＥＣＴＥＤ  ２０４を有する。ＲＲＣ＿ＩＤＬＥ状態では、ＵＥは、ｅＮＢとのシグナリング無線ベアラ接続を有さない。ＲＲＣ＿ＩＤＬＥ状態中に、ＵＥは、とりわけ、（ｉ）ブロードキャストデータ又はマルチキャストデータを受信し、（ｉｉ）間欠受信モード（ＤＲＸ）で動作し、（ｉｉｉ）制御チャネルを監視し、近隣セルの測定を実行し、システム情報を取得することなどが可能である。ＲＲＣ＿ＣＯＮＮＥＣＴＥＤ状態では、ＵＥは、ｅＮＢとのシグナリング無線ベアラ接続を有し、かつ維持する。ＲＲＣ＿ＣＯＮＮＥＣＴＥＤ状態中に、ＵＥは、とりわけ、（ｉ）データを受信及び送信し（ユニキャスト、マルチキャスト、ブロードキャスト）、（ｉｉ）間欠受信モード（ＤＲＸ）及び間欠送信モード（ＤＴＸ）の双方で動作し、（ｉｉｉ）移動性機能（例えば、ハンドオーバー、セル再選択など）を実行し、（ｉｖ）より受動的な保守タスク（例えば、制御チャネルを監視し、近隣セルの測定を実行し、システム情報を取得することなど）に加えて、チャネル品質を測定及び監視して、情報をフィードバックすることが可能である。
【００７７】
前述のように、先行技術のＬＴＥ  ＵＥは、近傍セルに関する、いわゆるＳ基準パラメータ（受信信号強度を含む）に基づいて、ＲＲＣ＿ＩＤＬＥ  ２０２モードからＲＲＣ＿ＣＯＮＮＥＣＴＥＤ  ２０４モードに遷移する。このＳ基準パラメータは、方程式（１）に従って算出される。
方程式（１）：Ｓrxlev＝Ｑrxlevmeas−（Ｑrxlevmin＋Ｑrxlevminoffset）−Ｐcompensation
式中、
Ｑrxlevmeasは、セルに関する測定受信レベルの値（一般的には、基準信号受信電力（ＲＳＲＰ）とも称される）であり、
Ｑrxlevminは、（システム情報ブロック（ＳＩＢ）パラメータの範囲内でｅＮＢによって定義される）、セルに関する最小要求受信レベルであり、
Ｑrxlevminoffsetは、（システム情報ブロック（ＳＩＢ）パラメータの範囲内でｅＮＢによって定義される）、異なるｅＮＢ間の「ピンポン現象」を防止するための、Ｑrxlevminに対するヒステリシス相殺であり、
Ｐcompensation＝ｍａｘ（Ｐemax−Ｐumax，０）であり、
式中、
Ｐemaxは、（システム情報ブロック（ＳＩＢ）パラメータの範囲内でｅＮＢによって定義される）、ＵＥがセル内で使用することが許容される最大電力であり、
Ｐumaxは、（システム情報ブロック（ＳＩＢ）パラメータの範囲内でｅＮＢによって定義される）、ＵＥがセル内で使用することが許容される最大送信電力である。
【００７８】
動作中は、算出されたＳrxlevを使用して、セルが使用に関して好適である（Ｓrxlev＞０の場合）か否かを判定する。前述のように、ＳＩＢパラメータから導出されない唯一のパラメータは、Ｑrxlevmeas（ＲＳＲＰ）である。更には、Ｓ基準の算出の中に含まれるパラメータは、完全に受信特性に関して定義されるものである。それらのパラメータのいずれも、ｅＮＢの実際の能力、又は提供されるｅＮＢのサービスに関連するものではない。
【００７９】
先行技術のＵＥ動作に関連する範囲内で、シグナリング手順が、受信品質とは無関係な理由で失敗する場合を考察する。通常動作の間、ＬＴＥ  ＵＥは、移動管理エンティティ（ＭＭＥ）に、追跡エリア更新（ＴＡＵ）を定期的に送信する。ＭＭＥは、これに応答して、サービングＧＰＲＳ（汎用無線パケットサービス）サービングノード（ＳＧＳＮ）とのセキュリティ保護されたセッションを開始して、位置更新を実行する。ＭＭＥは、ＴＡＵが成功する場合には、肯定応答を信号伝達し、又はＴＡＵが成功しない場合には、否定応答を信号伝達する。残念ながら、ＴＡＵが、手順の途中で打ち切られるイベントでは、そのＵＥは切断される可能性が高く、このことは、ＵＥに再接続を試みさせる。
【００８０】
ＵＥは、受信品質とは無関係な理由で切断されるため、ＵＥが同じセル上でＲＲＣ接続を再確立する可能性は、極めて低い。例えば、ネットワーク輻輳により、ｅＮＢがＴＡＵ手順を完了することが不可能であったために、ｅＮＢがＵＥを切断した場合には、ＵＥが再接続を試みる前に、その輻輳イベントが修正される可能性は、極めて低い。更には、先行技術のＵＥは、再接続するために最適なｅＮＢを判定することを、物理的受信特性に依存するため、ＵＥは、より低い受信品質を有し得るが、より輻輳も少なく、かつＵＥのＴＡＵに適切にサービス提供する傾向もより高い可能性がある、他のｅＮＢを試みるのではなく、切断されたばかりのｅＮＢに再接続することを試みる。このことは、先行技術での１つの顕著な欠陥を強調するものであり、すなわち、ＵＥは、そのような先行技術の機器において実装される、モノリシックな「１つの基準」論理により、実際に、その同じ基地局を何度も繰り返し（ユーザが不利益を被るまで）試み続ける。
【００８１】
上述の論考は、打ち切られたＴＡＵ手順に基づくものであるが、受信とは無関係な原因による予期せぬセッションの終了は、広範囲に及ぶ通常動作シナリオで発生し得ることが、容易に理解されよう。例えば、ｅＮＢは、ハンドオーバーの後に、又は、そのｅＮＢがランダムアクセス応答（ＲＡＲ）ウィンドウの範囲内でランダムアクセス要求に応答することができない場合などに、ランダムアクセスチャネル（ＲＡＣＨ）要求に応答することができない。実際に、予期せぬ接続終了は、ネットワークがタイミング良くＵＥに応答することができない場合、ネットワークがＵＥに全く応答しないことを選択する場合、又は更に、ネットワークが異常な方式で（例えば、不完全に、など）ＵＥに応答する場合には、常に発生し得ることが、当業者には容易に認識されるであろう。
【００８２】
したがって、本開示の例示的一実施形態では、ＵＥは、受信特性と、ＲＲＣ接続を確実に確立及び／又は維持する可能性を定量化若しくは指示する、１つ以上のメトリックとの双方の観点から、セルの望ましさを評価する。具体的には、一実装での例示的ＵＥは、ブラックリストの一部として、ネットワークのｅＮＢへの接続失敗の短い履歴を記憶する。これらのエントリは、最近の履歴の範囲内で、ＵＥが最後にｅＮＢから予期せずして接続解除されたときからカウントダウンする、タイマーと関連付けられる。ＵＥは、このタイマーが満了するまで、そのｅＮＢを回避し、この時間中は、ＵＥは他のｅＮＢに接続することを試みる。従前にＵＥにサービス提供することが不可能であったｅＮＢを回避して、その代わりに、より輻輳が少ない可能性がある他のｅＮＢに接続するように試みることによって、ＵＥは、有利には、長いサービス利用不可（ＯＯＳ）期間を回避することができる。
【００８３】
ここで図３を参照すると、ロングタームエボリューション（ＬＴＥ）ユーザ装置（ＵＥ）と拡張型ノードＢ（ｅＮＢ）との間の、データ接続の開始又は再開の一部としての、ＵＥ動作に関する１つの例示的方法が示される。最初に、ＵＥは、第１のｅＮＢへのアクティブな接続を有する（ステップ３０２）。動作中に、このアクティブな接続は、予期せずして中断される。例えば、追跡エリア更新（ＴＡＵ）手順の間に、ＵＥは、許容時間の範囲内で、肯定応答又は否定応答のいずれも受信しない。ＵＥは、予期されるシグナリング（肯定応答又は否定応答のいずれか）を受信しないため、そのＵＥは、ＲＲＣ接続を終了する。
【００８４】
予期せぬ接続の中断に応答して、このＬＴＥ  ＵＥは、そのｅＮＢ識別子をブラックリストに追加する（ステップ３０４）。そのｅＮＢ識別子は、更にタイマーと関連付けられ、このタイマーが満了すると、そのｅＮＢ識別子をブラックリストから除去することができる。例示的一実施形態では、タイマーは、３分のタイマー値を有し得るが、このタイマー値は、純粋に実装依存である（他の実装は、異なる時間値を有する場合があり、かつ／あるいは、例えば、その場合の支配的なＵＥ条件及び／又はネットワーク条件、使用中のアプリケーションなどに基づいて、タイマー値を動的に割り当てる場合などがある（例えば、ＵＥは、電力、ＱｏＳ、又は他の考慮事項により、「切迫」する程度が上下する））。
【００８５】
ステップ３０６では、ＬＴＥ  ＵＥは、近傍に存在し、ブラックリストに未だ記載されていない、あらゆるＬＴＥ  ｅＮＢを探索する。具体的には、ＬＴＥ  ＵＥは、（ｉ）そのハンドセットがスロット境界のタイミングを取得することを可能にする、一次同期シンボル（ＰＳＳ）を探索し、（ｉｉ）無線フレームのタイミング及びセルのグループの識別を提供する、二次同期シンボル（ＳＳＳ）を探索し、（ｉｉｉ）物理ダウンリンク共有チャネル（ＰＤＳＣＨ）を復号し、（ｉｖ）ｅＮＢのセルＩＤを特定するためにＳＩＢ情報を復号して、Ｓ基準（又は他の電力測定値）を算出し、（ｖ）Ｓ基準及びブラックリストのパラメータに基づいて、ｅＮＢをランク付けする。
【００８６】
上述の実施例は、単純なブラックリストについてのみ説明するが、より複雑な他の変更形態は、他の因子を考慮することができる点が理解されよう。例えば、ＬＴＥ  ＵＥが、ＰＤＳＣＨを復号した後に、そのＬＴＥ  ＵＥは、より多くの正誤表を搬送する物理ブロードキャストチャネルの位置を、更に判定することができる。そのようなＬＴＥ  ＵＥは、（ｉ）受信及び送信用のアンテナの数、（ｉｉ）利用可能な帯域幅、（ｉｉｉ）装置製造業者、（ｉｖ）信号対雑音比（ＳＮＲ）などの、ｅＮＢ特性を特定することができる。上述のいずれも、ＬＴＥ  ＵＥのランク付けの算出に、更に含めることができる。
【００８７】
ＬＴＥ  ＵＥ  ４０４が、（ｉ）従前にブラックリストに記載されている、最も高いＳ基準を有する第１のｅＮＢ  ４０２Ａ、（ｉｉ）次に最も高いＳ基準を有する第２のｅＮＢ  ４０２Ｂ、及び（ｉｉｉ）最も低いＳ基準を有する第３のｅＮＢ  ４０２Ｃに近接しており、それらを特定している、図４に示すシナリオを考察する。このＬＴＥ  ＵＥは、第２のｅＮＢを１位にランク付けし、第３のｅＮＢを、その次にランク付けする。第１のｅＮＢは、３つ全てのうちで最良のＳ基準を明らかに有する場合であっても、それがブラックリストから消去される（例えば、例示的一実装では、そのタイマーが満了するとき）まで、無視される。
【００８８】
ブラックリスト及び／又はホワイトリストへの追加の承認に関する基準は、時間、ネットワーク又はＵＥの動作条件、検知されるパラメータなどの関数として変動し得ることもまた、理解されるであろう。例えば、１つの単純なスキームは、基地局が、他の履歴とは関係なく、上述の規定されたタイマー期間中に、いずれかの一方的な接続解除イベントを経験している場合には、その基地局をブラックリストに記載することを承認する。別の可能なスキームとしては、ＵＥは、ブラックリスト上に含めるための、基地局による接続解除に関する閾値（例えば、過去２４時間以内に５回以上の接続解除）を設定する。しかしながら、そのような基準は、ネットワーク輻輳が高く、「最良」の可能な基地局でさえもいくつかの接続解除を経験している場合などには、必要に応じて変化させることができる。そのような論理は、とりわけ、極めて高い輻輳、負荷、又は装置の故障の場合などの期間中に、全てのネットワーク基地局がブラックリスト上に記載されることを、回避するために有用であり、このことにより、所定のＵＥに対して適格な基地局が存在しない場合が、回避される。
【００８９】
図３の方法のステップ３０８では、ＬＴＥ  ＵＥは、ステップ３０６のメトリックに従って特定されたｅＮＢに接続することを試みる。ＬＴＥ  ＵＥは、満足なｅＮＢが見出されるまで、複数の候補にわたって、このことを繰り返すことができる。上述の図４のシナリオでは、ＬＴＥ  ＵＥ  ４０４は、第２のｅＮＢ  ４０２Ｂに接続することを最初に試みる。この第２のｅＮＢもまた失敗する場合には、その第２のｅＮＢは、対応するタイマーと共にブラックリストに追加され、ＬＴＥ  ＵＥは、残余の第３のｅＮＢ  ４０４Ｃを試みる。
【００９０】
ステップ３１０では、ＬＴＥ  ＵＥが、確実にｅＮＢに接続した後、そのＬＴＥ  ＵＥは、データ転送動作を再開する。この実施例では、ＬＴＥ  ＵＥは、追跡エリア更新（ＴＡＵ）手順を完了する。
【００９１】
例示的な移動装置
本開示の方法を実施するために有用な、例示的なユーザ又はクライアント装置５００が示される。
【００９２】
図示の実施形態では、装置５００は、デジタル信号プロセッサ、マイクロプロセッサ、フィールドプログラマブルゲートアレイ、又は１つ以上の基板５０４上に実装される複数個の処理構成要素などの、プロセッササブシステム５０２を含む。この処理サブシステムはまた、内部キャッシュメモリも含み得る。処理サブシステム５０２は、例えば、ＳＲＡＭ、フラッシュ、及びＳＤＲＡＭ構成要素を含み得るメモリを含む、メモリサブシステム５０６に接続される。このメモリサブシステムは、当該技術分野において周知のようにデータアクセスを促進するために、１つ以上のＤＭＡタイプのハードウェアを実装することができる。プロセッサは、とりわけ、メモリサブシステム内部に記憶されるコンピュータ可読命令を実行するように、構成される。
【００９３】
更には、図示のメモリサブシステムは、幾つかのアクセスポイント識別子、タイマー値、フィールド値などを記憶するように構成された、内部データベース及び／又はリストを含む。例示的一実施形態では、メモリサブシステムは、いわゆる「ブラックリスト」を含み、このブラックリストは、一時的及び／又は恒久的に使用が制限される基地局を特定する。代替的実施形態では、メモリサブシステムは、いわゆる「ホワイトリスト」を含み、このホワイトリストは、使用に関して一時的及び／又は恒久的に好ましい基地局を特定する。更に他の実施形態では、メモリサブシステムは、幾つかのエントリを含み、各エントリは、基地局及び１つ以上のフィールドを特定し、これらのフィールドは、その特定される基地局の、データ転送要求に確実にサービス提供する履歴上の傾向を判定するために有用な、基準を有する。
【００９４】
内部データベース及び／又はリストは、一定の時間の満了時に、それ自体からエントリを消去するように、（ホスト機器内の論理又は命令を介して）更に構成することができる。例えば、一実施形態では、そのテーブル内部の各エントリは、時間と共に満了するタイマーを有し得る。タイマー満了時に、そのタイマーと関連付けられたエントリを、データベースから消去することができる。アプリケーションコマンド、オベレーティングシステムコマンド、デバイスドライバ、ユーザによる選択に基づくユーザ命令に基づいて、エントリを消去することができる、代替的スキームを実装することができる。
【００９５】
更には、プロセッササブシステムは、ルールエンジン（例えば、論理又はソフトウェアプロセス）を更に含み得るものであり、このルールエンジンは、１つ以上のメトリックに少なくとも部分的に基づいて、基地局をランク付け及び／又は選択するように、構成される。一実施形態では、これらのメトリックは、データ転送要求に確実にサービス提供する、基地局の履歴上の傾向に関連する基準を有する、１つ以上のフィールド上に、少なくとも部分的に導出される。そのような一実施例では、ルールエンジンは、それらの１つ以上のフィールドの値に基づいて、各基地局に関するランク付けを生成し、そのランク付けは、データ要求に確実にサービス提供することができる基地局に接続する可能性を最大限に高めるための、優先順位を反映する。
【００９６】
無線／モデムサブシステム５０８は、一般的に、デジタルベースバンド、アナログベースバンド、ＴＸフロントエンド、及びＲＸフロントエンドを含む。装置５００は、特定の周波数範囲、又は指定のタイムスロットなどに関する、様々なアンテナ動作モードを可能にするための複数個のスイッチを含む、アンテナアセンブリ５１０を更に含む。特定の実施形態では、いくつかの構成要素は、本開示が与えられる当業者によって理解されるように、不要となる場合があり、又は他の方式では、互いに組み合わせることができる。例示的一実施形態では、無線／モデムサブシステムは、とりわけ、ロングタームエボリューション（ＬＴＥ）並びにＬＴＥアドバンスト（ＬＴＥ−Ａ）セルラーネットワーク規格に従って、無線周波（ＲＦ）を送信及び受信するように、構成される。セルラーネットワーク規格の他の一般的な例としては、移動通信用のグローバルシステム（ＧＳＭ（登録商標））、汎用パケット無線サービス（ＧＰＲＳ）、ＧＳＭ（登録商標）進化型高速データレート（ＥＤＧＥ）、ユニバーサル移動体通信システム（ＵＭＴＳ）、高速パケットアクセス（ＨＳＰＡ）、暫定規格９５（ＩＳ−９５）、符号分割多重接続１Ｘｔｒｅｍｅ（ＣＤＭＡ−１Ｘ）、ＣＤＭＡ−２０００などが挙げられるが、これらに限定されない。
【００９７】
図示の電力管理サブシステム（ＰＭＳ）５１２は、この装置に電力を提供し、集積回路及び／又は複数個の個別電気構成要素を含み得る。この装置の、１つの例示的なポータブルモバイル機器実装では、電力管理サブシステム５１２は、バッテリとインターフェース接続する。
【００９８】
装置５００の特定の実施形態では、ユーザインターフェースシステム５１４を提供することができる。ユーザインターフェースは、限定するものではないが、キーパッド、タッチスクリーン若しくは「マルチタッチ」スクリーン、ＬＣＤディスプレイ、バックライト、スピーカ、及びマイクロホンを含めた、任意数の周知のＩ／Ｏを含み得る。しかしながら、特定の適用例では、これらの構成要素のうちの１つ以上が不要となり得ることが認識されよう。例えば、ＰＣＭＣＩＡカードタイプモバイル機器の実施形態は、ユーザインターフェースが欠如する場合がある（それらは、物理的及び／又は電気的に結合される機器のユーザインターフェースを、便乗して利用することが可能であるため）。
【００９９】
図５の装置は、限定するものではないが、１つ以上のＧＰＳ送受信機、又はＩｒＤＡポート、Ｂｌｕｅｔｏｏｔｈ（登録商標）送受信機、Ｗｉ−Ｆｉ（ＩＥＥＥ規格８０２．１１）送受信機、ＷｉＭＡＸ（ＩＥＥＥ規格８０２．１６ｅ）送受信機、ＵＳＢ（例えば、ＵＳＢ  ２．０、ＵＳＢ  ３．０、無線ＵＳＢなど）、ＦｉｒｅＷｉｒｅなどのネットワークインターフェースを含めた、任意選択の追加的周辺機器を更に含み得る。しかしながら、これらの構成要素は、本開示の原理に従った装置５００の動作には、必要ではないことが認識されよう。
【０１００】
本開示の特定の態様が、特定の方法の具体的なステップのシーケンスの観点から説明されているが、これらの説明は、より広範な方法の例示に過ぎないものであり、具体的な適用によって、必要に応じて修正することができる点が、認識されるであろう。特定のステップは、特定の状況下では、不必要又は任意選択とすることができる。更には、特定のステップ又は機能性を、開示される実施形態に追加することができ、あるいは２つ以上のステップの実行の順序を、置き換えることもできる。全てのそのような変更形態は、本明細書で開示され特許請求される、本開示の範囲内に包含されると見なされる。
【０１０１】
上記の発明を実施するための形態は、様々な実施形態に適用されるような、新規の機構を示し、説明し、指摘しているが、例示された機器若しくはプロセスの形態及び詳細の、様々な省略、置換、並びに変更を、当業者によって実施することができる点が、理解されるであろう。上述の説明は、現時点で想到される最良の実施態様の説明である。本説明は、限定することを決して意図するものではなく、むしろ、本開示の一般的原理の例示として解釈されるべきである。本開示の範囲は、特許請求の範囲に準拠して決定されるべきである。
【図１】
2014534679.tif 000003
【図１Ａ】
2014534679.tif 000004
【図１Ｂ】
2014534679.tif 000005
【図１Ｃ】
2014534679.tif 000006
【図２】
2014534679.tif 000007
【図３】
2014534679.tif 000008
【図４】
2014534679.tif 000009
【図５】
2014534679.tif 000010
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
ネットワークのアクセスポイントへの接続のためのクライアント機器であって、
無線インターフェースと、
プロセッサと、
前記プロセッサとデータ通信する記憶装置と、を備え、前記記憶装置が、前記プロセッサによって実行されると、前記クライアント機器に、
アクセスポイントのリストを保持させるようになっており、前記リストは、接続要求に確実にサービス提供する可能性を有するアクセスポイントを特定するために有用な、１つ以上のパラメータを含んでおり、
前記１つ以上のパラメータに基づいて、第１のアクセスポイントを特定させ、
前記第１のアクセスポイントへの接続を確立させる、コンピュータ実行可能命令を含み、前記クライアント機器は、ロングタームエボリューション（ＬＴＥ）ユーザ装置（ＵＥ）を含み、前記アクセスポイントのリストが、前記ＵＥを予期せずして接続解除した拡張型ノードＢ（ｅＮＢ）のブラックリストを含み、前記第１のアクセスポイントの前記特定が、前記第１のアクセスポイントが（ｉ）前記ブラックリスト上に存在しないこと、及び（ｉｉ）望ましい受信信号強度を有することの双方に、少なくとも部分的に基づく、クライアント機器。
【請求項２】
前記アクセスポイントのリストが、接続のために利用不可能なアクセスポイントのブラックリストを含む、請求項１に記載のクライアント機器。
【請求項３】
前記アクセスポイントのリストが、接続のために好ましいアクセスポイントのホワイトリストを含む、請求項１に記載のクライアント機器。
【請求項４】
前記１つ以上のパラメータが、履歴データを含む、請求項１に記載のクライアント機器。
【請求項５】
前記１つ以上のパラメータが、タイマーに従って失効する、請求項１に記載のクライアント機器。
【請求項６】
前記パラメータのうちの少なくとも１つが、アクセスポイントの能力又は構成パラメータを含む、請求項１に記載のクライアント機器。
【請求項７】
ネットワークのアクセスポイントに接続するための方法であって、
アクセスポイントのリストを保守するステップであって、前記リストが、接続に関して不適切であるとして特定される１つ以上のアクセスポイントを含む、ステップと、
利用可能アクセスポイントを探索するステップと、
前記探索された利用可能アクセスポイントから、第１のアクセスポイントを決定するステップであって、前記第１のアクセスポイントが、前記アクセスポイントのリスト上に存在しない、ステップと、
前記決定された第１のアクセスポイントへの接続を確立するステップと、を含む、方法。
【請求項８】
前記クライアント機器が、ロングタームエボリューション（ＬＴＥ）ユーザ装置（ＵＥ）を含み、前記アクセスポイントが、拡張型ノードＢ（ｅＮＢ）を含む、請求項７に記載の方法。
【請求項９】
前記アクセスポイントのリストの各エントリが、対応するタイマーと関連付けられる、請求項７に記載の方法。
【請求項１０】
前記有効期限タイマーが満了することに応答して、前記エントリが前記リストから除去される、請求項９に記載の方法。
【請求項１１】
前記有効期限タイマーが満了することに応答して、前記エントリが更新される、請求項９に記載の方法。
【請求項１２】
前記決定するステップが、前記探索された利用可能アクセスポイントの前記受信信号強度に、少なくとも部分的に基づく、請求項７に記載の方法。
【請求項１３】
前記決定するステップが、前記探索された利用可能アクセスポイントの能力に、少なくとも部分的に基づく、請求項７に記載の方法。
【請求項１４】
ネットワークのアクセスポイントにクライアント機器を接続するための方法であって、
複数個の利用可能アクセスポイントを特定するステップと、
アクセスポイントのリストにアクセスするステップであって、前記リストが、前記リスト記載のアクセスポイントのそれぞれに関する１つ以上のパラメータに関連する情報を含み、前記情報が、接続要求に確実にサービス提供する好適な可能性を有するアクセスポイントを判定するために有用である、ステップと、
前記１つ以上のパラメータ及び前記特定された複数個の利用可能アクセスポイントに、少なくとも部分的に基づいて、前記リストから第１のアクセスポイントを決定するステップと、
前記決定された第１のアクセスポイントへの接続を要求するステップと、
付与された要求に応答して、前記決定された第１のアクセスポイントへの接続を確立するステップと、を含む、方法。
【請求項１５】
前記第１のアクセスポイントを決定する前記ステップが、その適合性を保証するために、前記第１のアクセスポイントの前記受信信号強度の示度を評価するステップを更に含む、請求項１４に記載の方法。
【請求項１６】
前記接続が、データ転送のための無線リソース接続（ＲＲＣ）を含む、請求項１４に記載の方法。
【請求項１７】
前記接続が、ハンドオーバー要求を含む、請求項１４に記載の方法。
【請求項１８】
前記接続が、セル選択又は再選択要求を含む、請求項１４に記載の方法。
【請求項１９】
無線ネットワーク内部での好適な接続待ち時間を維持する方法であって、
移動デバイスと前記ネットワークのアクセスポイントとの間の接続を形成する必要性を特定するステップと、
前記ネットワークの第１のアクセスポイントによる履歴上の接続中断に関連する、少なくとも１つのメトリックを評価するステップと、
前記評価に少なくとも部分的に基づいて、前記接続の形成に関して前記第１のアクセスポイントに勝る第２のアクセスポイントを選択するステップとを含み、前記第２のアクセスポイントが、前記第１のアクセスポイントよりも望ましくないエアインターフェース品質を有するが、前記第１のアクセスポイントよりも良好な履歴上の中断のメトリックを有する、方法。
【請求項２０】
ネットワークのアクセスポイントへの接続のためのクライアント機器であって、
無線インターフェースと、
プロセッサと、
前記プロセッサとデータ通信する記憶装置と、を備え、前記記憶装置がコンピュータ実行可能命令を含み、前記命令が前記プロセッサによって実行されると、前記クライアント機器に、
前記無線インターフェースを使用して、ネットワークエンティティによって保守される前記ネットワーク内部のアクセスポイントのリストを、少なくとも定期的に取得させ、前記リストが、接続要求に確実にサービス提供する可能性を有するアクセスポイントを特定するために有用な、１つ以上のパラメータを含み、
前記無線インターフェースが接続の損失を経験する場合、
最後に取得したリストから、前記１つ以上のパラメータに基づいて第１のアクセスポイントを特定させ、かつ、
前記第１のアクセスポイントへの新たな接続を確立させる、コンピュータ実行可能命令を含む、クライアント機器。
【国際調査報告】
2014534679.tif 000011
2014534679.tif 000012
2014534679.tif 000013